(57)【特許請求の範囲】
【請求項１】
記録媒体に情報を記録する記録素子、及び、光源から出射されて前記記録媒体において反射された反射光のうちの少なくとも直接反射光を受光する受光素子を備えた記録ヘッドと、
前記記録ヘッドにより記録される情報を記録しておくための記録媒体と、
前記受光素子により取得される光出力値に基づいて、前記光源から出射される光の制御を行う制御部とを備えることを特徴とする、記録装置。
【請求項２】
前記記録素子を支持するスライダをさらに備え、
前記記録素子は、前記スライダの一方側面に設けられると共に、前記受光素子は、前記スライダの一方側面に対向するように配置されることを特徴とする、請求項１に記載の記録装置。
【請求項３】
前記記録素子を支持するスライダをさらに備え、
前記記録素子及び前記受光素子は、共に前記スライダの一方側面に設けられることを特徴とする、請求項１に記載の記録装置。
【請求項４】
前記スライダを支持するサスペンションをさらに備え、
前記受光素子は、前記サスペンションに対して、その受光面が前記記録媒体に対向するように配置されることを特徴とする、請求項２に記載の記録装置。
【請求項５】
前記受光素子は、前記サスペンションに対して、前記スライダが取り付けられている面側に取り付けられていることを特徴とする、請求項４に記載の記録装置。
【請求項６】
前記記録素子は、一対の電極、及び、前記一対の電極のそれぞれと電気的に接続された導電性の狭窄部を有することを特徴とする、請求項１〜５のいずれか１項に記載の記録装置。
【請求項７】
前記記録媒体の記録面には、他の領域より表面粗さが粗い粗領域が設けられており、
前記制御部は、前記光源から出射されて前記粗領域において反射された反射光のうちの直接反射光を受光する前記受光素子により取得される光出力値に基づいて、前記光源から出射される光の制御を行うことを特徴とする、請求項１〜６のいずれか１項に記載の記録装置。
【請求項８】
前記記録ヘッドは、前記記録媒体に記録された情報を再生するための再生素子を有し、
前記記録媒体には、光源から出射される光の出力を決定するための所定の情報が記録される記録領域が前記粗領域とは異なる箇所に設けられ、
前記制御部は、前記記録領域に記録された情報に係る再生信号を取得し、当該再生信号を評価することにより、前記光源から出射される光の制御を行うことを特徴とする請求項７に記載の記録装置。
【請求項９】
前記制御部は、前記受光素子から得られる光出力値が所定の値となるように、前記光源の駆動電流または駆動電圧を制御することを特徴とする、請求項１〜８のいずれか１項に記載の記録装置。
【発明の詳細な説明】
【技術分野】
【０００１】
本発明は、記録装置に関する。
【背景技術】
【０００２】
近年、光技術と磁気記録再生技術との融合による高密度記録を実現する技術である熱アシスト磁気記録技術が研究されている。熱アシスト磁気記録方式を利用した磁気記録再生装置では、記録時にはレーザ光により磁気記録媒体を昇温させ、磁気記録媒体における記録領域の保磁力を低下させた状態で、記録ヘッドにより外部磁界を印加して磁気的に情報を記録する。
【０００３】
図１２は、熱アシスト磁気記録に使用される磁気記録媒体を構成する記録層の保磁力Ｈｃと温度Ｔとの関係の一例を示すグラフである。記録層は、室温付近できわめて高い保磁力Ｈｃを示し、通常の磁気記録素子が発生する磁界では、磁気的な記録が困難であると同時に、磁気的に非常に安定であるため、一旦記録が行われた場合には弱い磁界で記録情報が消去されないという利点を持つ。しかし、磁気記録媒体の記録層の温度が上昇すると磁気記録媒体の保磁力Ｈｃは低下し、キュリー温度Ｔｃ付近でほぼ０となる。従って、媒体の温度をキュリー温度Ｔｃ付近まで加熱することにより、通常の磁気記録再生装置で使用されているような磁界で記録が可能となる。キュリー温度は磁性層（記録層）として使用する材料や組成によっても異なるが概ね１００℃から２５０℃程度である。このように熱アシスト磁気記録とは、通常の記録方式の媒体と比較して、より高い保磁力を有する磁性層（記録層）を備えた媒体を用い、記録情報の安定性を確保するという技術である。
【０００４】
熱アシスト磁気記録において、情報を記録する記録条件は、磁気記録媒体に与える磁界の強さと、磁気記録媒体の加熱条件（磁気記録媒体に与える熱エネルギーである加熱パワーを決定する条件）とによって決まる。例えば、強い磁界を磁気記録媒体に与えた場合には、より小さな加熱パワーでも記録が可能となり、逆に弱い磁界を磁気記録媒体に与えた場合には、より大きな加熱パワーが必要になる。このように加熱パワーの決定は、磁気記録媒体に対する記録条件の決定において重要なファクターである。
【０００５】
磁気記録媒体を加熱するための方法についてはいくつか提案がなされているが、その代表的なものとして、光を磁気記録媒体に照射し、光を吸収した磁気記録媒体が昇温することにより加熱する、光アシスト加熱方式がある。光アシスト加熱方式においては、磁気記録媒体を加熱するために磁気記録媒体に照射する光源の光出力の制御が重要である。
【０００６】
光アシスト加熱方式に使用される光源としては半導体レーザや、LEDなどがあるが、それらの光出力は光源に与える駆動電流（あるいは駆動電圧）だけで決まるわけではなく、温度の影響も受ける。具体的には、同じ電流値（あるいは電圧値）で光源を駆動していても、温度が上昇すれば光出力値が小さくなる。また、光源自体の特性のばらつきにより、同じ電流値で光源を駆動していても得られる光出力が異なる場合がある。このようなことから、光源の光出力の制御のためには受光素子が使用されている。
【０００７】
光源として半導体レーザを使用した場合には、受光素子が配置される場所としては、大きく分けて２通りの場所がある。一つの場所としては、半導体レーザの光出射面とは反対側の面からの出射される光を受光するように、半導体レーザの光出射面とは反対側の面（以下、後端面とする）に対向するように配置する場合であり、もう一つの場所としては、半導体レーザから出射された光をミラーなどの光学部品を使用することにより分離し、分離された光を受光するように受光素子を配置する場合である。
【０００８】
受光素子としては、例えば、Ｓｉフォトダイオードなどの、Ｓｉ基板上に形成された受光面を有するものが使用されており、小さなものでも数百ミクロンの受光面を持っている。一方、磁気記録ヘッドに使用されているスライダで、現在最も小さなものは長さが０．８５mm、幅が０．７mm、厚みが０．２３mmとなっており、小さなサイズのＳｉフォトダイオードと同程度のサイズとなっている。このような受光素子を磁気記録ヘッドに搭載したものが特許文献１に開示されている。特許文献１に開示されている磁気記録ヘッドについて説明する。
【０００９】
上記特許文献１に開示されている磁気記録ヘッドにおいては、スライダの先端に設けられた半導体レーザの後端面に対向するように受光素子が設けられている（図１および参照）。また、後端面から出射された光を受光素子で受光できるように、半導体レーザの後端面の反射率を下げたものが使用されている。
【００１０】
【特許文献１】特開２００５−３１７１７８号公報
【発明の開示】
【発明が解決しようとする課題】
【００１１】
半導体レーザの後端面の反射率を下げ、出射される光量を多くするような構成とした場合には、半導体レーザの発光効率が下がることになる。また、後端面からの出射光を受光するように受光素子を配置するために、半導体レーザの後端面に対向するように受光素子を配置しているため、磁気記録ヘッドの厚み（記録媒体の面法線方向の厚み）が増加する。このため、磁気記録ヘッドの増加した厚み分だけ磁気記録装置に搭載できる記録媒体の数が減ることになり、記録装置としての容量が小さくなるという問題があった。また、発光効率を下げた場合には、磁気記録ヘッドで消費する電力量が増すことになるという問題があった。
【００１２】
一方、半導体レーザの光出射面から出射される光をミラーなどの光学部品で分離し、その分離された光を受光するように受光素子を配置することも可能であるが、磁気記録ヘッドに、別の光学部品を搭載する必要があり、やはり、磁気記録ヘッドの厚みの増加につながる。また、部品点数の増加に伴うコスト増加、光の光路と光学部品との位置合わせなどのアッセンブルコストの増加につながる。なお、光源としてＬＥＤを用いた場合も同様の問題が生ずる。
【００１３】
そこで、本発明は、上記課題を鑑みなされたものであって、光源の発光効率の低下を抑制すると共に部品点数が増加するのを抑制して、光源の光出力の制御を行うことを可能とする記録装置を提供することを目的としている。
【課題を解決するための手段および発明の効果】
【００１４】
上記目的を達成するために、この発明の記録装置は、記録媒体に情報を記録する記録素子、及び、光源から出射されて前記記録媒体において反射された反射光のうちの少なくとも直接反射光を受光する受光素子を備えた記録ヘッドと、前記記録ヘッドにより記録される情報を記録しておくための記録媒体と、前記受光素子により取得される光出力値に基づいて、温度変化が補償されるように前記光源から出射される光の制御を行う制御部とを備えている。なお、直接反射光とは、光源から出射されて記録媒体において反射された反射光であって、受光素子に直接入射する光をいい、多重反射した迷光は含まない。
好ましくは、前記制御部は、前記受光素子から得られる光出力値が所定の値となるように、前記光源の駆動電流または駆動電圧を制御する。
【００１５】
上記構成によれば、記録媒体において反射された直接反射光を受光する受光素子が備えられている。これにより、光源から出射された光を分離して受光素子に導くミラー等の光学部品を設けることなく、受光素子に直接反射光を入射させることが可能となる。その結果、受光素子に入射した直接反射光に基づいて、光源の光出力の制御を行うことが可能となる。
また、本発明では、光源から記録媒体に向けて出射された光のうちの直接反射光を受光する構成なので、光源の後端面から出射される光を受光する構成と比較して、光源の発光効率を向上させることが可能となる。
【００１６】
上記記録装置において、好ましくは、記録媒体に情報を記録する記録素子と、記録素子を支持するスライダとをさらに備えている。そして、記録素子は、スライダの一方側面に設けられると共に、受光素子は、スライダの一方側面に対向するように配置される。
【００１７】
上記構成によれば、受光素子がスライダの一方側面に設けられた記録素子に対向するように配置されるので、受光素子をスライダの他方側面に対向するように設ける場合に比べて、記録素子と受光素子とを近接して配置することが可能となる。これにより、記録媒体において反射された光を効率よく受光することができ、受光素子からの出力信号におけるＳＮ比を向上させることができる。その結果として、安定した光源の光出力の制御が可能となる。
【００１８】
上記記録装置において、記録媒体に情報を記録する記録素子と、記録素子を支持するスライダとをさらに備えている。そして、記録素子及び受光素子は、共にスライダの一方側面に設けられる。
【００１９】
上記構成によれば、記録素子及び受光素子が共にスライダの一方側面に設けられるので、受光素子をスライダの一方側面以外の面に設ける場合に比べて、記録素子と受光素子とを近接して配置することが可能となる。これにより、記録媒体において反射された光を効率よく受光することができ、受光素子からの出力信号におけるＳＮ比を向上させることができる。
これに加えて、受光素子をスライダと別個に設ける必要がなく、磁気記録再生ヘッドの重量低減、スライダの側面に一体的に形成することによる低コスト化などのメリットがある。
【００２０】
上記記録装置において、好ましくは、スライダを支持するサスペンションをさらに備えている。そして、受光素子は、サスペンションに対して、その受光面が記録媒体に対向するように配置される。
【００２１】
上記構成によれば、記録媒体において反射した直接反射光を、より効率よく受光することができ、受光素子からの出力信号におけるＳＮ比を向上させることができる。その結果として、より安定した光源の光出力の制御が可能となる。
【００２２】
上記記録装置において、好ましくは、受光素子は、サスペンションに対して、スライダが取り付けられている面側に取り付けられている。
【００２３】
上記構成によれば、スライダの一方側面に設けられる光源への配線部と受光素子への配線部とが、共にサスペンションに対して同一面側に位置することになるので、受光素子への配線が容易になるという利点がある。
また、本発明は、サスペンションに対して、スライダが取り付けられている面の反対側の面に受光素子を取り付ける場合と比べて、受光素子をサスペンションに対してスライダが取り付けられている面側に取り付ける分だけ、記録ヘッドの厚みの増加を低減することができる。
【００２４】
上記記録装置は、好ましくは、光源から照射された光により局所的に加熱した記録媒体の所定の領域に、磁界を印加して情報を記録する熱アシスト磁気記録方式である。
【００２５】
上記構成によれば、熱アシスト磁気記録方式において記録媒体を加熱する光の制御を安定して行うことができる。
【００２６】
【００２７】
【００２８】
【００２９】
【００３０】
上記記録装置において、好ましくは、記録媒体の記録面には、他の領域より表面粗さが粗い粗領域が設けられており、制御部は、光源から出射されて粗領域において反射された反射光のうちの直接反射光を受光する受光素子により取得される光出力値に基づいて、光源から出射される光の制御を行う。
【００３１】
一般的に記録媒体の表面は、平均粗さが1nm以下に抑えられている平滑面で構成されているため、散乱光が得られにくいが、上記構成によれば、粗領域に光源から出射される光を照射することにより、より多くの反射光を得ることができる。その結果、受光素子により受光される記録媒体における直接反射光を増加させることができ、より正確に光源から出射される光の制御を行うことができる。
【００３２】
上記記録装置において、好ましくは、記録ヘッドは、記録媒体に記録された情報を再生するための再生素子を有し、記録媒体には、光源から出射される光の出力を決定するための所定の情報が記録される記録領域が粗領域とは異なる箇所に設けられ、制御部は、記録領域に記録された情報に係る再生信号を取得し、当該再生信号を評価することにより、光源から出射される光の制御を行う。
【００３３】
上記構成によれば、記録媒体に情報を記録し、当該記録媒体に記録された情報を再生して再生信号を取得し、当該再生信号を評価することにより、光源から出射される光の出力を決定する、所謂、テストライトを行うことができる。この場合、表面粗さが粗い粗領域と、そうでない領域とでは、記録媒体に情報を記録する際の、光の出力の条件が異なる可能性がある。例えば、表面粗さが粗い粗領域では、記録媒体表面における光の反射光量が増加することにより、記録媒体に吸収される光量が減少し、記録媒体の昇温後の到達温度が減少する場合などである。しかし、上記構成のように、表面粗さが粗い粗領域とは別の領域において、記録領域を設けることにより、一旦、記録領域にて必要な光出力を決定し、該光出力となるように光源を駆動した後、より散乱光が得られる粗領域で、光出力を設定することにより、より効率よく光を受光することができる。その結果、受光素子からの出力信号におけるＳＮ比を向上させることができ、より安定した光源の出射光量制御が可能となる。
【００３４】
【００３５】
【発明を実施するための最良の形態】
【００３６】
以下、本発明を具体化した実施形態を図面に基づいて説明する。
【００３７】
（第１実施形態）
図１〜図６を参照して、本発明の第１実施形態に係る磁気記録再生装置について説明する。図１は、本発明の第１実施形態に係る磁気記録再生装置の概略構成図である。図２は、図１に示した磁気記録再生装置の磁気記録再生ヘッドの側面図である。最初に、図１を参照して、第１実施形態に係る磁気記録再生装置の構成について説明する。
【００３８】
本実施形態の磁気記録再生装置１００は、図１に示すように、磁気記録及び磁気再生を行うための磁気記録再生ヘッド１、円盤状の磁気記録媒体５、磁気記録媒体５を回転駆動するためのスピンドルモータ４、磁気記録再生ヘッド１を固定するサスペンション２、さらに、サスペンション２を支持固定するサスペンションアーム３、サスペンションアーム３を磁気記録媒体５上で駆動させ、磁気記録再生ヘッド１を磁気記録媒体５上の所望する位置に移動させるボイスコイルモータ６、および、これらを制御するための制御部７を含んで成る。
【００３９】
制御部７には、スピンドルモータ４、および、ボイスコイルモータ６を制御するモータドライバ８と、磁気記録媒体５に磁界を印加するための記録電流信号の増幅や、磁気記録媒体５からの再生電流信号の増幅を行うとともに、これらの信号を磁気記録再生ヘッド１とやり取りする回路であるヘッドアンプ９と、磁気記録媒体５に記録する信号の符号化や、再生された信号の復号化などを行う回路であるリードライトチャネル１０と、磁気記録再生ヘッド１に備えられた光源である半導体レーザ２５（図４参照）の駆動電流（あるいは駆動電圧）を制御するレーザドライバ１１と、磁気記録再生ヘッド１に備えられ、磁気記録媒体５で反射された光を受光するための受光素子２２（図２及び図３参照）からの光出力信号を増幅するための回路である光出力アンプ１２と、モータドライバ８、リードライトチャネル１０、レーザドライバ１１と接続されており、これらの各部をコントロールするコントローラ１３とが含まれる。
【００４０】
磁気記録再生ヘッド１は、図２に示すように、サスペンション２に固定されているスライダ２０と、スライダ２０の先端側の側面に備えられた記録再生素子部２１とを備えている。また、スライダ２０に対して、記録再生素子部２１が設けられている側面に対向するように、受光素子２２が配置されており、受光素子２２も磁気記録再生ヘッド１と同様にサスペンション２に固定されている。磁気記録再生ヘッド１は、磁気記録媒体５上を浮上しており、磁気記録媒体５は矢印Ａ方向に回転している。
【００４１】
図３は、図１に示した磁気記録再生装置における磁気記録再生ヘッドの受光素子を磁気記録媒体側から見た底面図である。サスペンション２には、図３に示すように、スライダ２０の記録再生素子部２１が備えられている側面に対向するように受光素子２２が配置されており、当該受光素子２２の受光面は、磁気記録媒体５側に対向する面に設けられている。また、記録再生素子部２１の近傍には、記録再生素子部２１に設けられた再生素子（図示せず）、記録素子２６（図４参照）、半導体レーザ２５（図４参照）に接続される配線部２３がサスペンション２に設けられている。また、受光素子２２の近傍にも、受光素子２２に接続される配線部２４がサスペンション２に設けられている。サスペンション２は、ステンレスからなる金属であり、配線部２３及び２４はステンレス上に一体的に形成されたＦＰＣ配線となっている。
【００４２】
図４は、図１に示した磁気記録再生装置における磁気記録再生ヘッドを受光素子側から見た側面図である。スライダ２０の受光素子２２に対向する面には、光源である半導体レーザ２５と、半導体レーザ２５の磁気記録媒体５側に設けられる記録素子２６とが備えられている。なお、スライダ２０の受光素子２２に対向する面には、記録再生素子部２１として、図示しない再生素子も備えられている。再生素子は、スライダ２０の側面に従来の磁気記録再生ヘッドと同様のプロセスにより作成されており、再生素子に対して受光素子２２側に記録素子２６が設けられている。また、記録素子２６の両サイドには記録素子２６、再生素子、半導体レーザ２５の電極パッド２８が設けられており、サスペンション２に設けられた配線部に対してボンディングされることにより電気的に接続されている。
【００４３】
図５は、図１に示した磁気記録再生装置における半導体レーザと記録素子とを磁気記録媒体側から見た斜視図である。記録素子２６は、磁気記録媒体５側から半導体レーザ２５側に延びるに凹部２６ａを有する金属からなる配線構造体である。この金属からなる配線構造体に、記録する情報に対応した高周波信号電流（記録電流）を投入することにより、配線構造体の凹部２６ａの周囲において磁界が発生する。また、半導体レーザ２５から磁気記録媒体５の方向に出射された光が、配線構造体の半導体レーザ２５側の狭窄部２６ｂに照射されることにより、当該配線構造体の磁気記録媒体５側の面に近接場光が発生し、この近接場光が磁気記録媒体５に照射されることにより、磁気記録媒体５の記録層が昇温される。そして、一対の電極間に電流が流れると狭窄部２６ｂを発生源とした磁界が発生し、近接場光により磁気記録媒体の記録層が昇温された部分に、磁界が与えられて、磁気記録媒体５の記録層に対して情報の記録あるいは消去が可能となる。この配線構造体の材料として、例えば、金、銅、白金、銀などが使用可能である。このように第１実施形態の磁気記録再生ヘッド１においては、磁界を発生させる記録素子２６が、磁気記録媒体５に対して近接場光を照射する光発生素子となっている。
【００４４】
図６は、磁気記録媒体及び磁気記録再生ヘッドの平面図である。磁気記録媒体５は、取付金具１４によりスピンドルモータ４に取り付けられている。磁気記録媒体５の記録面の内周側には、他の領域より表面粗さが粗い領域（粗領域１５）が備えられている。
【００４５】
再生素子は、非磁性層を１対の磁性層で挟んだ積層体を有する磁気抵抗効果素子（図示せず）を備えた再生用磁気センサである。なお、本実施形態では、磁気抵抗効果素子として、いわゆるＴＭＲ（トンネル磁気抵抗効果）素子を用いるが、本発明はこれに限られるものではなく、ＧＭＲ素子など磁気抵抗効果素子を有する素子であってもよい。
【００４６】
ここで、スライダ２０を構成する材料としては、ＡｌＴｉＣなどが挙げられる。また、半導体レーザ２５を構成する材料としては、ＧａＡｓ（発振波長が６５０ｎｍの赤色レーザ光を発生可）、ＧａＮ（発振波長が４０５ｎｍの青紫色レーザ光を発生可）などが挙げられる。従って、スライダの材料としてＧａＡｓやＧａＮを用いた場合には、半導体レーザ２５をスライダ２０の側面に一体的に形成することが可能となる。また、スライダ２０の材料としてＳｉを使用しても良い。その場合には、半導体レーザ２５が形成された基板をＳｉで構成されたスライダ２０の側面に貼り付ければ良い。
【００４７】
このような構成を有する磁気記録再生ヘッド１は、公知のスパッタリング法及びフォトリソグラフィー技術、エッチング技術などを用いて形成することができる。
磁気記録媒体５は、光アシスト磁気記録用のものであり、例えば、磁性層に使用できる材質として、ＴｂＦｅＣｏ、ＣｏＣｒＰｔ系、希土類遷移金属、ＦｅＰｔ系、又はＲｈＦｅ系等の反強磁性物質が挙げられる。
受光素子２２としては、PNフォトダイオードや、PINフォトダイオード、ショットキフォトダイオード、アバランシェフォトダイオードなどが挙げられる。また、その材料はＳｉやＧａＡｓＰ、Ｇｅ、ＩｎＧａＡｓ／ＩｎＰなどが使用可能である。
【００４８】
コントローラ１３は、モータドライバ８やレーザドライバ１１などの制御動作を行うＣＰＵ（図示せず）、プログラムＲＯＭ（図示せず）及び制御ＲＡＭ（図示せず）などから構成されている。ＣＰＵは、プログラムＲＯＭ及び制御ＲＡＭと接続されており、これらとともにいわゆるマイクロコンピュータ（図示せず）を形成している。プログラムＲＯＭには、各部へ送信するための各種制御命令（コマンド）等が格納されている。各種コマンドは、所定条件の成立を契機としてＣＰＵによってプログラムＲＯＭから呼び出されて制御ＲＡＭにセットされる。そして、制御ＲＡＭにセットされたコマンドは所定のタイミングでモータドライバ８やレーザドライバ１１などの制御したい部分に供給される。各部は、供給されたコマンドに基づいて各種の処理を実行する。
【００４９】
次に、本実施形態の磁気記録再生装置１００の動作について説明する。
磁気記録再生装置１００において、磁気記録媒体５に情報を記録する場合、磁気記録媒体５はスピンドルモータ４により一定回転数で回転されている。また、磁気記録再生ヘッド１は、ボイスコイルモータ６により、情報を記録する半径位置に位置決め制御されている。スライダ２０は磁気記録媒体５に対して１０ｎｍ程度のギャップを保って浮上している。
【００５０】
磁気記録媒体５に信号を書き込むために、レーザドライバ１１により、半導体レーザ２５を発光させて、記録素子２６の凹部２６ａにおいて近接場光を発生させる。近接場光が磁気記録媒体５に照射されると磁気記録媒体５の記録層は昇温される。一方で、記録素子２６には磁界を発生させるための電流が流され、記録素子２６の凹部２６ａの周辺に磁界が発生される。このようにして、昇温された磁気記録媒体５の記録層に磁界を印加することより、情報が記録される。
【００５１】
ここで、半導体レーザ２５に印加される駆動電流（あるいは駆動電圧）は、受光素子２２から得られる光出力値に基づいて制御されている。つまり、受光素子２２から得られる光出力値が、所定の値となるように、半導体レーザ２５に印加される電流の大きさ、あるいは、電圧の大きさがレーザドライバ１１により調整されている。ここで、受光素子２２から得られる光出力値が、所定の値となるということは、半導体レーザ２５から発せられる光の量、すなわち、光量も、所定の大きさとなっていることを意味する。従って、温度などの変化により光源の光出力特性、すなわち、光源の駆動電流（あるいは、駆動電圧）と光源の光出力（光量）の関係が変化しても、常に光源から出射される光出力（光量）を特定の値に保つことができる。
【００５２】
第１実施形態では、磁気記録再生ヘッド１には磁気記録媒体５で反射された直接反射光を受光する受光素子２２が備えられている。そのような磁気記録再生ヘッド１により、光源の駆動電流（あるいは、駆動電圧）の制御のために、半導体レーザ２５の出射光を分離するための追加部品の数を少なくすることができる。また、半導体レーザ２５の後端面からの出射光を受光する構成（特許文献１参照）に比較して、半導体レーザ２５の発光効率を向上させることが可能となる。また、前記磁気記録再生ヘッド１を備え、前記受光素子２２からの出力値をもとに半導体レーザ２５の光出力の制御を行うことにより、環境温度の変化がある状況においても、安定して光源の光出力を制御することが可能な磁気記録再生装置１００を実現できる。また、半導体レーザ２５の発光効率を向上させることができるため、磁気記録再生装置１００の消費電力を低減することが可能となる。
【００５３】
なお、受光素子２２に入射する光としては、磁気記録媒体５において直接反射された光だけではなく、磁気記録媒体５で反射され、スライダ２０の磁気記録媒体５側の面で反射され、再度、磁気記録媒体５で反射された、いわゆる多重反射光や、磁気記録媒体５で反射され、サスペンション２で反射され、再び、磁気記録媒体５で反射されたような光が入射してもかまわない。本実施形態のポイントは、受光素子２２が磁気記録媒体５からの直接反射光を受光するような構成となっているか否かである。
【００５４】
なお、磁気記録媒体５において直接反射された光を受光しているか否かは、例えば、次のような方法で判断できる。すなわち、半導体レーザ２５をある電流（あるいは、電圧）で駆動し光出力を得る。その状態で、磁気記録媒体５に対して、実使用時と同様に浮上状態におく。その際の受光素子２２による光出力値をＡとする。また、一方で、磁気記録再生ヘッド１を磁気記録媒体５の近辺から遠ざけ、同様に受光素子２２により光出力値を検出し、その光出力値をＢとする。光出力値Ａと光出力値Ｂを比較して、光出力値Ａが大きければ、磁気記録媒体５からの直接反射光を受光しているといえる。なお、この場合、受光素子２２からの光出力値に基づいて、半導体レーザ２５からの光出力を一定にするようレーザドライバ１１で制御するオートパワーコントロールはＯＦＦにしておく。
また、磁気記録媒体５において直接反射された光を受光しているか否かを判断する他の方法としては、オートパワーコントロールをＯＮにした状態で、前記と同様に、磁気記録再生ヘッド１を磁気記録媒体５の近辺から遠ざけるか否かで、半導体レーザ２５の駆動電流（あるいは、駆動電圧）が、磁気記録媒体を磁気記録再生ヘッド１に近づける、あるいは、浮上状態にすることで、大きくなるか否かで判断しても良い。これは、オートパワーコントロールにより半導体レーザ２５が制御されているため、磁気記録媒体５で反射された光を直接受光素子２２により受光している場合には、その受光量が増し、所定の駆動電流（あるいは駆動電圧）となるが、直接反射光を受光しないように受光素子２２が配置されている場合には、磁気記録媒体５を近接させるか否かで受光量が変化しないことを利用している。
【００５５】
また、第１実施形態では、受光素子２２は、スライダ２０の記録素子２６が備えられた側面に対向するように配置されている。このことにより、本実施形態では、磁気記録媒体５に対する光照射部である光発生素子（記録素子２６）と、受光素子２２とを近接して配置することにより、より効率よく、磁気記録媒体５で反射された光を受光することができ、受光素子２２からの出力信号におけるＳＮ比を向上させることができる。その結果として、より安定した半導体レーザ２５の光出力の制御が可能となる。
【００５６】
また、第１実施形態では、受光素子２２は、その受光面が磁気記録媒体５に対向するようにサスペンション２に対して配置されている。このように配置していることにより、磁気記録媒体５で直接反射した光を、より効率よく光を受光することができ、受光素子２２からの出力信号におけるＳＮ比を向上させることができる。その結果として、より安定した半導体レーザ２５の光出力の制御が可能となる。なお、受光素子２２の受光面が磁気記録媒体５に対向するよう設けられていれば、受光面と磁気記録媒体５の面とが厳密に平行な状態となっている必要はない。一般的に受光素子２２の受光感度特性の光入射角度依存性として、受光素子２２の受光面に対して、垂直入射を０度とすると、±１０度程度であれば入射感度は大きく変化することはないことから、磁気記録媒体５の面と受光素子２２の受光面の傾きとしても、その程度は許容可能である。
【００５７】
また、第１実施形態では、受光素子２２は、サスペンション２に対して、スライダ２０が取り付けられている面、つまり、磁気記録媒体５に対向する面に取り付けられている。このような構成とすることにより、スライダ２０の側面に備えられた半導体レーザ２５、再生素子、記録素子２６への配線部と、受光素子２２への配線部とが、サスペンション２の同一面側に位置することになり、受光素子２２への配線が容易になるという利点がある。
一方、サスペンション２に対して、スライダ２０が設けられる面の反対側の面に受光素子２２を取り付けることも可能であるが、その場合には、スライダ２０や受光素子２２を含めた磁気記録再生ヘッド１の厚みが増すことになる。しかし、本実施形態では、受光素子２２をサスペンション２に対して、スライダ２０が取り付けられている面と同一面に取り付けることにより、そのような厚みの増加を極力低減することができる。さらに望ましくは、受光素子２２の厚みは、スライダ２０の厚みより薄いほうが望ましい。これは、通常、磁気記録再生ヘッド１のスライダ２０は磁気記録媒体５に対して浮上状態にあるとき、スライダ２０の記録素子２６が備えられる先端側が磁気記録媒体５に接近するように傾いた状態で浮上している。従って、スライダ２０に対して記録素子２６と同じ面側に半導体レーザ２５を備えている磁気記録再生ヘッド１の場合、受光素子２２も、半導体レーザ２５と同様にスライダ２０の半導体レーザ２５側、つまり、磁気記録媒体５に対向する面に配置するのが、受光素子２２で受光する光量を多くする点で望ましく、その場合に、受光素子２２が磁気記録媒体５と接触することを避けるという点で望ましい。
【００５８】
上記したように、第１実施形態では、磁気記録媒体５の記録面の内周側には、他の領域より表面粗さが粗い領域（粗領域１５）が備えられている。このように内周部に粗領域１５を設けている理由は次のとおりである。
本実施形態の磁気記録再生ヘッド１では、記録素子２６の凹部２６ａにおいて近接場光を発生させ、磁気記録媒体５に照射しているが、近接場光は伝播光ではないため、磁気記録媒体５の表面で散乱されることによってはじめて光が散乱される。しかし、一般的に磁気記録媒体５の表面は、平均粗さが1nm以下に抑えられている平滑面で構成されているため、散乱光が得られにくい。そこで、受光素子２２で受光される磁気記録媒体５からの直接反射光の光量を増すために、磁気記録媒体５の内周部に粗領域１５を設け、ボイスコイルモータ６により磁気記録再生ヘッド１を内周部に位置決め制御して、近接場光を磁気記録媒体５に照射することにより、より多くの反射光量が得られる構成とした。
また、この粗領域１５は磁気記録媒体５のいずれの領域に設けても良いが、粗領域１５を磁気記録媒体５の半径方向のいずれの位置に設けても、近接場光が照射され、スライダ２０や磁気記録媒体５の間で多重反射することを考えると、その領域の半径方向の幅はある程度の長さが必要となる。従って、磁気記録媒体５の内周側に設けた方が、磁気記録媒体５の記録容量をより大きくすることができるというメリットがある。
また、ＣＳＳ（コンタクトスタートストップ方式）により、磁気記録再生ヘッド１を浮上させる方式を採用している場合には、ＣＳＳ領域と本実施形態に係る粗領域１５とを同じ領域としても良い。なお、本実施形態においては、磁気記録媒体５に近接場光を照射しているが、本構成による効果は、近接場光に限定されない。レンズなどで集光された光を磁気記録媒体５に照射する場合であっても、受光素子２２に対する入射光量が、他の領域よりも多い、粗領域１５を磁気記録媒体５の記録面に設けることにより、わずか１０ｎｍ程度のギャップで浮上している磁気記録再生ヘッド１と磁気記録媒体５との間から、受光素子２２に光を入射させるためには、磁気記録媒体５のいずれかの半径位置に粗領域１５を設けることで上記効果が得ることができる。
また、本手法により半導体レーザ２５の出力を制御する場合には、後に述べるテストライトを行うことにより、まず、半導体レーザ２５を駆動するための基準駆動電流値（あるいは基準駆動電圧値）を決定し、粗領域１５において、基準駆動電流値（あるいは基準駆動電圧値）で半導体レーザ２５を駆動して光を磁気記録媒体５に照射し、その際に受光素子２２より得られる出力を基準出力とし、それ以降は、一定時間間隔、あるいは、磁気記録再生装置がアイドリング状態になっている間などに、磁気記録再生ヘッド１を粗領域１５に移動させ、受光素子２２により得られる出力が基準出力となるように半導体レーザ２５の駆動電流（あるいは駆動電圧）を制御すれば良い。
【００５９】
なお、磁気記録媒体５が上記構成となっているか否かは次のようにして判定すれば良い。まず、他の領域より表面粗さが粗いか否かは、周知の原子力間顕微鏡により確認することが可能である。また、受光素子２２に対する入射光が粗領域１５において増すか否かは、他の領域と粗領域１５からそれぞれ得られる受光素子２２の出力を比較し、粗領域１５の方が多ければ、本実施形態に係る構成となっているといえる。なお、その際、半導体レーザ２５の駆動電流値（あるいは駆動電圧値）は同じ値で比較する。
【００６０】
次にテストライトについて説明する。
熱アシスト磁気記録を行う磁気記録再生装置１００においては、磁気記録媒体５を加熱して昇温させるとともに、磁界を印加することによって磁気情報を磁気記録媒体５に記録している。従って、磁気記録媒体５が昇温された温度が、磁気情報の記録においては重要である。磁気記録媒体５が昇温された到達温度には、光が磁気記録媒体５に照射され、磁気記録媒体５が光を吸収して昇温される要因と、環境温度の要因が影響する。他にも、磁気記録媒体５の熱的な性質、すなわち、吸収した光により発生した熱が、磁気記録媒体５においてどのような速度で拡散していくかも影響する。また、磁気記録媒体５がスピンドルモータ４によって回転される速度も影響する。これは、一定の光量の光が磁気記録媒体５に照射されたとしても、磁気記録媒体５の回転数が速い場合には、単位領域あたりに照射される光のエネルギー量が相対的に少なくなるために、より、昇温しにくくなるためである。
【００６１】
以上のことから、受光素子２２から得られる光出力値の設定値の決定方法としては、磁気記録媒体５の種類や、環境温度など、さまざまな影響を考慮して決定する必要がある。その方法として、磁気記録媒体５に所定の情報を記録し、記録した信号を再生して再生信号を得て、当該再生信号を評価することにより、磁気記録媒体５に照射する光の出力を決定する、いわゆる、テストライトを行う方法が考えられる。
【００６２】
テストライトとは、半導体レーザ２５の駆動電流（あるいは駆動電圧）と、印加する磁界の強さを変えて記録媒体に記録を行い、記録された磁気情報を再生素子で再生することにより得られる再生信号に基づいて、半導体レーザ２５の駆動電流（あるいは駆動電圧）と、印加する磁界の大きさ、すなわち、磁界を発生する記録素子２６に投入する電流（あるいは電圧）の大きさとを決定する方法をいう。テストライトを行う頻度としては特に定められた頻度はなく、例えば、磁気記録再生装置１００内部の温度が一定範囲以上変化した場合にテストライトを実施しても良い。また、あるいは、一定時間間隔ごとにテストライトを実施しても良い。なお、このテストライトにより半導体レーザ２５の基準駆動電流値（あるいは駆動電圧値）が決定されるとしたが、本実施形態では、受光素子２２から得られる光出力信号値に基づいて、半導体レーザ２５の駆動電流（あるいは駆動電圧）を制御しているため、実際には、テストライトの結果、受光素子２２から得られる光出力信号値を基準出力値とし、その後の記録において、受光素子２２からの光出力信号値がテストライトの結果、決定された基準出力値となるように半導体レーザ２５の駆動電流（あるいは駆動電圧）を調整するとも言える。
【００６３】
本実施形態に係る磁気記録再生装置１００の磁気記録媒体５においては、より多くの反射光量が得られるように、磁気記録媒体５の一部の領域に粗領域１５を設けているが、テストライトは粗領域１５で行っても良いが、粗領域１５とは別に設けた記録領域で行うことによって次のような効果がある。
【００６４】
いわゆる、テストライトを行う磁気記録再生装置１００において、表面粗さが粗い粗領域１５と、そうでない領域とでは、磁気記録媒体５に情報を記録する際の、光の出力の条件が異なる可能性がある。例えば、表面粗さが粗いことにより、磁気記録媒体５の表面における光の反射光量が増し、磁気記録媒体５に吸収される光量が減少し、磁気記録媒体５の昇温後の到達温度が減少する場合などである。しかし、本実施形態の構成のように、磁気記録媒体５からの反射光量を受光素子２２で受光するための表面粗さが粗い粗領域１５とは別の領域において、記録領域にて必要な光出力、つまり、半導体レーザ２５の駆動電流（あるいは駆動電圧）を決定し、ボイスコイルモータにより粗領域１５上に磁気記録再生ヘッド１を移動させた後、先ほど決定した駆動電流（あるいは駆動電圧）により半導体レーザ２５を駆動し、その際に受光素子２２により得られる光出力信号値を、半導体レーザ２５の光出力を制御する際の基準とすれば良い。なお、このような手法で半導体レーザ２５の光出力を制御する方法をとる場合には、上記で説明した方法と次の点で異なる。つまり、本手法を採用する場合には、記録媒体の記録面において粗領域１５と、テストライトを行う領域とでは記録面における光の反射の状態が異なる。従って、粗領域１５で得られた受光素子２２の光出力信号値となるように、粗領域１５以外の領域で半導体レーザ２５を制御すると、磁気記録媒体５で反射され受光素子２２に入射される光の量が小さいために、半導体レーザ２５の駆動電流（あるいは駆動電圧）を大きくしてしまう。従って、本手法を採用する場合には、粗領域１５以外の領域においては、半導体レーザ２５の駆動電流（あるいは駆動電圧）はオープンループの制御とし、受光素子２２の光出力信号値を参照せず、あくまで、一定の駆動電流（あるいは駆動電圧）となるように制御し、一定時間間隔、あるいは、磁気記録再生装置としてアイドリング状態になっている時に、磁気記録再生ヘッド１をボイスコイルモータ６により粗領域１５に移動して、テストライトにより決定した光出力信号値、すなわち、基準出力値が得られるかをチェックすることになる。このような方法とすることにより、例えば、粗領域１５以外に設けられた、記録媒体のユーザー記録領域から受光素子２２に充分な反射光量が得られない場合であっても、より安定した半導体レーザ２５の光出力の制御が可能となる。
【００６５】
（第２実施形態）
図７は、本発明の第２実施形態に係る磁気記録再生装置を示した概略説明図である。次に、図７を参照して、第２実施形態に係る磁気記録再生装置の構成について説明する。この第２実施形態では、上記第１実施形態の磁気記録再生装置とは異なり、複数の磁気記録媒体がスタックされて（重ねて）設けられると共に、その複数の磁気記録媒体毎に磁気記録ヘッドが設けられている磁気記録再生装置について説明する。なお、この第２実施形態では、複数の磁気記録媒体及び複数の磁気記録ヘッドが設けられる構成以外は、上記第１実施形態と同様であるので、同一部材には、百の位を２とし且つ一の位及び十の位に第１実施形態と同じ符号を付しその説明を省略する。
【００６６】
この第２実施形態の磁気記録再生装置２００では、スピンドルモータ２０４に対して、複数の磁気記録媒体２０５ａ及び２０５ｂがスタックされて取り付けられている。すなわち、スピンドルモータ２０４に対して、磁気記録媒体２０５の面法線方向に複数配列されて取り付けられ、一体的に回転駆動されるようになっている。また、各々の磁気記録媒体２０５に対して、それぞれ２つの磁気記録再生ヘッド２０１が対応している。具体的には、磁気記録媒体２０５ａに対しては、磁気記録再生ヘッド２０１ａ、磁気記録再生ヘッド２０１ｂが、磁気記録媒体２０５ｂに対しては、磁気記録再生ヘッド２０１ｃ、磁気記録再生ヘッド２０１ｄが対応している。つまり、複数の磁気記録媒体２０５ａ及び２０５ｂの間に配置された磁気記録再生ヘッド２０１ｂ及び２０１ｃと、磁気記録媒体２０５ａ及び２０５ｂの外側の記録面側に磁気記録再生ヘッド２０１ａ及び２０１ｂが配置されている。そして、４つの磁気記録再生ヘッド２０１は、それぞれサスペンション２０２、そして、サスペンションアームを介して、ボイスコイルモータにより一体的に駆動されている。
【００６７】
第２実施形態では、光源からの光出力、すなわち、光発生素子としての光出力は一定であるのに、受光素子２２２に入射される光の量が異なり、その結果として、受光素子２２２から出力される値が変化する場合がある。そのような場合には、受光素子２２２で出力される信号値の大きさが一定となるように光源を制御すると、光源から出射される光量が変化してしまうことになる。そのような場合には、あらかじめ、光発生素子としての光出力は一定であるのに、受光素子２２２に入射される光の量が異なるような各々の条件（状況）において、次のようにして光源の光出力を制御すれば良い。
【００６８】
まず、上記したテストライトを行うことにより、光源の基準駆動電流値（あるいは基準駆動電圧値）と、その際に受光素子２２２により得られる基準出力値を決定する。次に光源に基準駆動電流値（あるいは基準駆動電圧値）を印加し、その際に得られる受光素子２２２の出力と、基準出力との差を計測し、当該基準出力との差をもとに、オフセット値を決定する。そして、以後、各々の条件（状況）において、受光素子から得られる出力にオフセット値を与えたものが、基準出力となるように、光源の光出力を制御する。このようにすることにより、各々の条件（状況）において、光源から出射される光出力の大きさを一定にすることが可能となる。なお、各々の条件（状況）に対応するオフセット値の大きさは磁気記録再生装置内のメモリ等に保持しておけば良い。
【００６９】
光源からの光出力、すなわち、光発生素子としての光出力は一定であるのに、受光素子に入射される光の量が異なり、その結果として、受光素子から出力される値が変化する場合の具体例としては次のようなものがある。
【００７０】
第２実施形態の磁気記録再生装置では、上記したように、２枚の磁気記録媒体２０５ａ及び２０５ｂが備えられ、１つの磁気記録媒体に対して２つの磁気記録再生ヘッドが対応してスタックされて配置されている。従って、２つの磁気記録媒体２０５ａ及び２０５ｂに挟み込まれるように配置された磁気記録再生ヘッド２０１ｂ及び２０１ｃと、そうでない磁気記録再生ヘッド２０１ａ及び２０１ｄ（スタックされた磁気記録媒体の最も外側の磁気記録媒体の外側の記録面側に配置された磁気記録再生ヘッド）が存在することになる。本実施形態の構成では磁気記録媒体２０１の反射光を受光素子２２２で受光するような構成としているため、２つの磁気記録媒体で挟み込まれるように配置された磁気記録再生ヘッド２０１ｂ及び２０１ｃの場合、磁気記録媒体２０５ａ及び２０５ｂからの直接反射光だけではなく、磁気記録媒体２０５間での多重反射光も受光することになる。一方、磁気記録媒体２０５ａ及び２０５ｂの外側の記録面側に配置された磁気記録再生ヘッド２０１ａ及び２０１ｄでは、前述の多重反射光の影響は小さくなる。つまり、光源から同じ光量の光が出射されているにも係わらず、受光素子２２２の光出力信号値が異なることになる。従って、磁気記録媒体２０５ａ及び２０５ｂの間に配置された磁気記録再生ヘッド２０１ｂ及び２０１ｃと、磁気記録媒体２０５ａ及び２０５ｂの外側の記録面側に配置された磁気記録再生ヘッド２０１ａ及び２０１ｄとにおいて、それぞれ、前述した手法、すなわち、磁気記録媒体２０５ａ及び２０５ｂに光を照射し、受光素子２２２で得られた出力をもとに、光源の光出力の制御を行うことにより、多重反射光などの差による反射光量の差を補正し、光源の出射光量を一定に制御を行うことが可能となる。
【００７１】
光源からの光出力、すなわち、光発生素子としての光出力は一定であるのに、受光素子に入射される光の量が異なり、その結果として、受光素子から出力される値が変化する場合の他の具体例としては次のようなものがある。
【００７２】
磁気記録媒体２０５ａ及び２０５ｂに挟まれた磁気記録再生ヘッドの場合、磁気記録媒体２０５ａ及び２０５ｂの内周部における多重反射光の光量と、外周部における多重反射光では光量が異なる場合がある。これは、磁気記録媒体２０５ａ及び２０５ｂの外周部においては、多重反射される光の量が減ることによる光量減少の可能性があり、内周部においては、スピンドルモータ等の他の部材が付近に存在するため、やはり、多重反射の光量が変化するためである。従って、光発生素子（光源）から同じ光量の光が出射されているにも係わらず、受光素子２２２の光出力信号値が異なる場合がある。
【００７３】
また、磁気記録再生装置２００において磁気記録媒体を１枚しか備えない構成であったとしても、磁気記録媒体２０５の作製プロセスにおいて、磁気記録媒体２０５の反射光量が半径位置によって異なるものが作成される恐れがある。例えば、磁気記録媒体２０５の記録面の反射率が半径位置により異なる場合や、磁気記録媒体２０５の表面の粗さが半径位置により異なる場合などである。そのような場合には、磁気記録媒体２０５の異なる半径位置において上記手法により半径位置毎のオフセット値を設定することにより、光源の出力を一定に制御することが可能となる。
【００７４】
このように、磁気記録媒体２０５の異なる半径位置において、磁気記録媒体２０５に光を照射し、光源の光出力、すなわち、出射光量の制御を行うことにより、磁気記録媒体２０５の半径位置の違いによる多重反射光などの差による反射光量の差を補正し、光源の出射光量の制御を行うことが可能となる。なお、磁気記録媒体２０５に備えられている記録トラックの全てにおいて上記の手法により光源の光出力の制御を行っても良い。
【００７５】
また、第２実施形態では、上記第１実施形態と同様の効果を得ることができる。
【００７６】
（第３実施形態）
図８は、本発明の第３実施形態に係る磁気記録ヘッドの側面図であり、図９は、図８に示した第３実施形態に係る磁気記録ヘッドを磁気記録媒体面側から見た概略構成図である。次に、図８及び図９を参照して、第３実施形態に係る磁気記録ヘッドの構成について説明する。この第３実施形態では、上記第１及び第２実施形態の磁気記録再生装置の磁気記録ヘッドとは異なり、外部に設けられる光源を用いる磁気記録ヘッドについて説明する。なお、この第３実施形態では、外部の光源を用いること以外は、上記第１実施形態と同様であるので、同一部材には、百の位を３とし且つ一の位及び十の位に第１実施形態と同じ符号を付しその説明を省略する。
【００７７】
この第３実施形態の磁気記録再生ヘッド３０１は、図３に示した第１実施形態に係る磁気記録再生ヘッドと光源の配置されている場所が異なる。つまり、本実施形態の磁気記録再生ヘッド３０１では、外部に備えられた光源からの光を、スライダ３２０に対して外部から入射させている。
【００７８】
磁気記録再生ヘッド３０１は、図８に示すように、サスペンション３０２に固定されているスライダ３２０と、スライダ３２０の側面に設けられた記録再生素子部３２１とを備えている。また、スライダ３２０に対して、記録再生素子部３２１が設けられている側面に対向するように受光素子３２２が配置されており、受光素子３２２も磁気記録再生ヘッド３０１と同様にサスペンション３０２に固定されている。また、図示しない外部の光源からスライダ３２０の記録再生素子部３２１がある側面に光が入射されている。磁気記録再生ヘッド３０１は、磁気記録媒体３０５上を浮上しており、磁気記録媒体３０５は矢印Ａ方向に回転している。
【００７９】
図９に示すように、スライダ３２０の記録再生素子部３２１が備えられている側面に対向する部分には、２つの受光素子３２２が配置されており、当該受光素子３２２の受光面は、磁気記録媒体３０５に対向する面に設けられている。また、記録再生素子部３２１の近傍には、記録再生素子部に設けられた記録素子（図示せず）及び再生素子（図示せず）に接続される配線部３２３が配置されている。また、受光素子３２２の近傍には、受光素子３２２に接続される配線部３２４が設けられている。また、スライダ３２０の側面には図示しない光導波路が形成されており、当該側面に入射した光源からの光を磁気記録媒体３０５に導くようになっている。
【００８０】
このように、第３実施形態においては、受光素子３２２を２つ設けている。その理由は、スライダ３２０に対して光を外部から入射させる際に、受光素子３２２が当該光の妨げとならないようにするためである。そのために、光の入射光路の方向に対して直交する方向の対称な位置に同じ特性をもった受光素子３２２を２つ設けた。こうすることにより、スライダ３２０に対して外部から光を入射させて、磁気記録媒体３０５に光が照射される磁気記録再生ヘッド３０１によっても、スライダ３２０への入射光を阻害せず、磁気記録媒体３０５からの反射光を効率的に受光することが可能となる。また、入射光路の方向に対して直交する方向に対称に受光素子３２２を配置することにより、いずれか一方にのみ一つの受光素子３２２を配置した場合に比べて、より多くの反射光量を受光素子３２２で受光することができるので、より安定した光源の光出力の制御が可能となる。
【００８１】
また、第３実施形態では、上記第１実施形態と同様の効果を得ることができる。
【００８２】
（第４実施形態）
図１０は、本発明の第４実施形態に係る磁気記録ヘッドの側面図であり、図１１は、図１０に示した磁気記録再生ヘッドを受光素子側から見た側面図である。次に、図１０及び図１１を参照して、第４実施形態に係る磁気記録ヘッドの構成について説明する。この第４実施形態では、上記第１〜第３実施形態の磁気記録ヘッドとは異なり、受光素子が記録素子４２６と共に、スライダの側面に設けられる磁気記録ヘッドについて説明する。なお、この第４実施形態では、受光素子をスライダの光源が設けられる側面に設けること以外は、上記第１実施形態と同様であるので、同一部材には、百の位を４とし且つ一の位及び十の位に第１実施形態と同じ符号を付しその説明を省略する。
【００８３】
この第４実施形態の磁気記録再生ヘッド４０１は、図１０に示すように、サスペンション４０２に固定されているスライダ４２０と、記録再生素子部４２１とを備えている。磁気記録再生ヘッド４０１は、磁気記録媒体４０５上を浮上しており、磁気記録媒体４０５は矢印Ａ方向に回転している。
【００８４】
図１１に示すように、スライダ４２０の記録再生素子部４２１が備えられている側面には、半導体レーザ４２５、記録素子４２６、再生素子（図示しない）に加えて、受光素子４２２が備えられている。この受光素子４２２は、例えば、スライダとしてＡｌＴｉＣなどのフォトダイオードを直接作成できない材料を使用する場合には、スライダの側面にＳｉフォトダイオードを貼り付けることで形成可能である。また、スライダとしてＳｉを使用する場合には、通常のＳｉフォトダイオードの製造プロセスを用いて、スライダ側面に作成すれば良い。その場合には別の基板上に作成した光源をスライダの側面に貼り付けても良い。
【００８５】
スライダ４２０の側面に備えられた受光素子４２２により磁気記録媒体４０５で反射された光を受光することにより光出力信号値を得て、光源の光出力を制御する点については、上記第１実施形態で説明した手法と同様である。
【００８６】
第４実施形態では、スライダ４２０において、光源が備えられた側面に受光素子４２２を設けていることにより、磁気記録媒体４０５に対する光照射部と受光素子４２２とを近接して配置するができ、より効率よく光を受光することができ、受光素子４２２からの出力信号におけるＳＮ比を向上させることができるという効果に加えて、受光素子４２２をスライダ４２０と別個に設ける必要がなく、磁気記録再生ヘッド４０１の重量低減、スライダ４２０の側面に一体的に形成することによる低コスト化などのメリットがある。
【００８７】
また、第４実施形態では、スライダ４２０の側面に受光素子４２２を設けているために、磁気記録媒体４０５からの反射光が受光素子４２２に入射する角度は大きくなるために受光感度が低下する。その受光感度の低下を補うために、受光素子４２２はスライダ４２０側面の磁気記録媒体４０５に近い側に設けるのが望ましい。また、スライダ４２０の光照射部である光発生素子に近い方が、より多くの光量が受光素子４２２に入射するので、受光感度の低下を補ううえで望ましい。その場合、本実施形態では、光源から出射された光を、磁界発生源を兼ねた金属からなる配線構造体に入射させているため、光源から配線構造体に入射しない光、あるいは、配線構造体の光源側の面で反射された光なども受光素子４２２に入射することになる。しかし、これらの光は光源の光出力に比例して光量が変化するため、前述の光が受光素子４２２に入射しても、光源の光出力には問題とはならず、むしろ、これらの光を積極的に入射させるような位置に受光素子４２２を配置しても良い。
【００８８】
また、第４実施形態では、受光素子４２２を１つだけスライダ４２０の側面に形成する例について説明したが、これは、受光素子４２２への配線部の本数を低減するためであり、本発明はこれに限らず、複数の受光素子４２２をスライダ４２０の側面に形成しても良い。
【００８９】
また、第４実施形態では、上記第１実施形態と同様の効果を得ることができる。
【００９０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００９１】
例えば、上記実施形態では、本発明の記録ヘッドを磁気記録再生ヘッドに適用する例について説明したが、本発明はこれに限らず、磁界を発生する手段を備えない、光記録ヘッドであっても、同様の効果が得られる。一例として、図１に示した磁気記録再生ヘッドから再生素子を取り除き、記録素子に磁界を発生するための記録電流を印加しない構成のものを考える。その場合においても、記録媒体に対して光を照射する光発生素子の機能は備わっているために、光記録ヘッドとして使用可能である。そのような場合であっても、記録媒体で反射された直接反射光を受光し、その受光素子の出力をもとに光源の光出力の制御を行うことにより駆動電流制御のために光源の出射光を分離するための追加部品の数を少なくすることができる。また、光源の後端面からの出射光を受光する構成に比較して、光源の発光効率を向上させることが可能となる。
【図面の簡単な説明】
【００９２】
【図１】本発明の第１実施形態に係る磁気記録再生装置の概略構成図である。
【図２】図１に示した磁気記録再生装置の磁気記録再生ヘッドの側面図である。
【図３】図１に示した磁気記録再生装置における磁気記録再生ヘッドの受光素子を磁気記録媒体側から見た底面図である。
【図４】図１に示した磁気記録再生装置における磁気記録再生ヘッドを受光素子側から見た側面図である。
【図５】図１に示した磁気記録再生装置における半導体レーザと記録素子とを磁気記録媒体側から見た斜視図である。
【図６】磁気記録媒体及び磁気記録再生ヘッドの平面図である。
【図７】本発明の第２実施形態に係る磁気記録再生装置を示した概略説明図である。
【図８】本発明の第３実施形態に係る磁気記録ヘッドの側面図である。
【図９】図８に示した第３実施形態に係る磁気記録ヘッドを磁気記録媒体面側から見た底面図である。
【図１０】本発明の第４実施形態に係る磁気記録ヘッドの側面図である。
【図１１】図１０に示した磁気記録再生ヘッドを受光素子側から見た側面図である。
【図１２】熱アシスト磁気記録に使用される磁気記録媒体を構成する記録層の保磁力Ｈｃと温度Ｔとの関係の一例を示すグラフである。
【符号の説明】
【００９３】
１、２０１ａ〜２０１ｄ、３０１、４０１  磁気ヘッド
２  サスペンション
３、３０２  サスペンションアーム
４、２０４  スピンドルモータ
５、２０５ａ、２０５ｂ、３０５、４０５  磁気記録媒体
６  ボイスコイルモータ
７  制御部
８  モータドライバ
９  ヘッドアンプ
１０  リードライトチャネル
１１  レーザドライバ
１２  光出力アンプ
１３  コントローラ
２０、３２０、４２０  スライダ
２１、３２１、４２１  記録再生素子部
２２、２２２、３２２、４２２  受光素子
２３、２４、３２３、３２４  配線部
２５、４２５  半導体レーザ
２６、４２６  記録素子
２６ａ  凹部
２８  電極パッド
１００、２００  磁気記録再生装置
【図１】
0004794516.tif 000002
【図２】
0004794516.tif 000003
【図３】
0004794516.tif 000004
【図４】
0004794516.tif 000005
【図５】
0004794516.tif 000006
【図６】
0004794516.tif 000007
【図７】
0004794516.tif 000008
【図８】
0004794516.tif 000009
【図９】
0004794516.tif 000010
【図１０】
0004794516.tif 000011
【図１１】
0004794516.tif 000012
【図１２】
0004794516.tif 000013